(57)【要約】【課題】  レンズ装着時の削れを抑制しつつ軽量化することを可能にしたカメラマウントを有する撮像装置を提供すること。【解決手段】  撮影レンズを着脱可能な撮像装置（１００）において、前記撮影レンズは位置を規制するための爪部（２０１）を有するレンズマウント（２００）を備え、前記撮像装置（１００）は樹脂により形成されたバヨネット爪部（１１５）を有するカメラマウント（１１０）と、前記撮影レンズを装着時に前記撮像装置（１００）側に付勢するためのマウントバネ（２１０）とを備え、前記マウントバネ（２１０）は前記カメラマウント（１１０）のバヨネット爪部（１１５）の端を保護する保護部（２１２）を有することを特徴とする。【選択図】  図１
2020173375.tif 000002
【特許請求の範囲】
【請求項１】
撮影レンズを着脱可能な撮像装置において、
前記撮影レンズは位置を規制するための爪部を有するレンズマウントを備え、
前記撮像装置は樹脂により形成されたバヨネット爪部を有するカメラマウントと、
前記撮影レンズを装着時に前記撮像装置側に付勢するためのマウントバネと、
を備え、前記マウントバネは前記カメラマウントのバヨネット爪部の端を保護する保護部を有することを特徴とする撮像装置。
【請求項２】
前記保護部の先端は前記撮像装置側に曲げられていることを特徴とする請求項１に記載の撮像装置。
【請求項３】
前記保護部は、前記撮像装置に装着する時に前記撮影レンズの爪部が前記バヨネット爪部と対向する前に対向する位置に配置されることを特徴とする請求項１に記載の撮像装置。
【請求項４】
撮影レンズを着脱可能な撮像装置において、
前記撮像装置は樹脂により形成されたバヨネット爪部を有するカメラマウントと、
前記撮影レンズを装着時にレンズ側に付勢するためのマウントバネと、
を備え、前記マウントバネは前記カメラマウントのバヨネット爪部の端に隣接し、前記撮影レンズを前記撮像装置方向に付勢する付勢部を有することを特徴とする撮像装置。
【発明の詳細な説明】
【技術分野】
【０００１】
本発明は、撮像装置に関し、特にマウントに関する。
【背景技術】
【０００２】
従来、撮影レンズが交換可能なレンズ交換式カメラのレンズ着脱機構として、バヨネット方式のマウントが提案されている。以下、カメラのマウントをカメラマウント、レンズのマウントをレンズマウントとする。カメラマウントの材質は強度の観点から金属が採用されることが多いが、重いという課題がある。一方、前記重いという課題を解決するため、カメラマウントの材質に樹脂材料を採用した場合、強度が不足するという課題がある。
【０００３】
強度と重量の課題を互いに補うために、特許文献１では金属と樹脂を一体に成形したマウントが開示されている。
【先行技術文献】
【特許文献】
【０００４】
【特許文献１】特開２０１４−２４０８５８号公報
【発明の概要】
【発明が解決しようとする課題】
【０００５】
しかしながら、上記の特許文献１に開示された従来技術では、レンズマウントと係合する爪部が樹脂材料であるため、レンズ装着時にレンズマウントの係合爪との接触により前記爪部が削れてしまうという課題があった。
【０００６】
そこで、本発明の目的は、レンズ装着時の削れを抑制しつつ軽量化することを可能にしたカメラマウントを有する撮像装置を提供することにある。
【課題を解決するための手段】
【０００７】
上記の目的を達成するために、本発明に係る撮像装置は、
撮影レンズを着脱可能な撮像装置（１００）において、前記撮影レンズは位置を規制するための爪部（２０１）を有するレンズマウント（２００）を備え、前記撮像装置（１００）は樹脂により形成されたバヨネット爪部（１１５）を有するカメラマウント（１１０）と、前記撮影レンズを装着時に前記撮像装置（１００）側に付勢するためのマウントバネ（２１０）とを備え、前記マウントバネ（２１０）は前記カメラマウント（１１０）のバヨネット爪部（１１５）の端を保護する保護部（２１２）を有することを特徴とする。
【発明の効果】
【０００８】
本発明によれば、レンズ装着時の削れを抑制しつつ軽量化することを可能にしたカメラマウントを有する撮像装置の提供を実現できる。
【図面の簡単な説明】
【０００９】
【図１】本発明の実施形態にかかわるカメラ（請求項１の撮像装置）の正面図
【図２】マウントに関連する部品の分解斜視図
【図３】撮影レンズを装着するときの様子を表す図
【図４】図３の（Ａ）のＣ−Ｃ断面図
【図５】図４のＸ部の拡大図
【図６】実施例１の図４に相当するＣ−Ｃ断面図
【発明を実施するための形態】
【００１０】
以下、本発明を実施するための形態について、図面を参照しながら詳細に説明する。
【実施例１】
【００１１】
図１及び図５を参照して、本発明の第１の実施例による、撮像装置について説明する。
【００１２】
図１は、本発明の実施形態にかかわるカメラ（請求項１の撮像装置）の正面図である。
【００１３】
図１において、１００はカメラ本体、１１０はカメラに取り付けられたカメラマウント（請求項１のカメラマウント）である。カメラマウント１１０は後述する一部分を除き樹脂で形成されている。カメラマウント１１０は複数のカメラマウント取りつけねじ１１１ａ、１１１ｂ、１１１ｃ、１１１ｄ、１１１ｅ、１１１ｆにより、カメラ本体１００に固定されている。１１２は撮影レンズの後述するレンズマウント２００（請求項１のレンズマウント）と当接する当接面であるマウント面である。
【００１４】
１１３は撮影レンズがカメラ本体１００に装着された時に撮影レンズの回動を阻止し、撮影レンズの着脱を阻止するロックピンである。１１４はレンズロック解除釦であり、ユーザーはレンズロック解除釦１１４の押下動作によりレンズロックピン１１３をマウント面から退避させ、撮影レンズを所定角度回転させることで撮影レンズの取り外しが可能となる。図１にある座標軸は後述の説明で使用する方向を定義するものであり、特記無き限り図１に記載の矢印の方向をプラス方向として軸を定義する。
【００１５】
図２はマウントに関連する部品の分解斜視図を示している。
【００１６】
２００は撮影レンズのレンズマウントである。レンズマウント２００は撮影レンズをカメラ本体１００に装着する時にＺ方向の位置を規制するための爪部２０１ａ、２０１ｂ、２０１ｃ（請求項１のレンズの爪部）を備えている。２０２はカメラマウント１１０のマウント面１１２と当接するレンズマウント面である。２１０はカメラマウント１１０よりも−Ｚ方向に配置されたマウントバネ（請求項１のマウントバネ）であり、バネ部２１１ａ、２１１ｂ、２１１ｃが撮影レンズの爪部２０１ａ、２０１ｂ、２０１ｃを−Ｚ方向に付勢することによって、撮影レンズのＺ方向の位置を規制している。
【００１７】
また、カメラマウント１１０は撮影レンズ装着時にレンズマウント２００の爪部２０１ａ、２０１ｂ、２０１ｃに対向する位置に爪部１１５ａ、１１５ｂ、１１５ｃ（請求項１のバヨネット爪部）を備えている。爪部１１５は撮影レンズにマウントバネ２１０の付勢力よりも強い力が働いた時に撮影レンズがカメラ本体１００から脱落するのを防止する役割を担っている。２１２ａ、２１２ｂ、２１２ｃは保護部（請求項１の保護部）である。前記保護部の役割については後述する。
【００１８】
図３は撮影レンズを装着するときの様子を表す図である。図３は図２で示した構成部品を−Ｚ側から＋Ｚ側に見た図となっている。
【００１９】
図３の（Ａ）で示すように、まず撮影レンズはレンズマウント２００の爪部２０１ａ、２０１ｂ、２０１ｃがカメラマウント１１０の爪部１１５ａ、１１５ｂ、１１５ｃを避けた位相状態でレンズマウント面２０２がカメラマウント面１１２と当接するまでカメラ側に挿入される。撮影レンズを前記位置まで挿入すると、図３中θ方向に撮影レンズを所定角度回転させることにより、撮影レンズの装着は完了する（図３の（Ｂ））。
【００２０】
図４は図３の（Ａ）のＣ−Ｃ断面図である。図３及び図４で示すように、まず、撮影レンズのレンズマウント２００の爪部２０１ａ、２０１ｂ、２０１ｃは保護部２１２ａ、２１２ｂ、２１２ｃに対向したのち、爪部１１５ａ、１１５ｂ、１１５ｃに対向する。マウントバネ２１０に付勢されるまで撮影レンズはＺ方向の位置が規制されておらず、Ｚ方向の位置は不定となるため、撮影レンズ装着時には保護部２１２ａ、２１２ｂ、２１２ｃには衝撃力が加わる。しかし、本発明では保護部２１２ａ、２１２ｂ、２１２ｃが金属であるため、樹脂で構成されたカメラマウントに比べ前記衝撃力による破損の恐れが軽減されている。
【００２１】
図５は保護部２１２ａ部を拡大した図である。
【００２２】
保護部２１２ａの先端は図に示すようにωの角度だけカメラマウント１１０の方向に曲がっている。レンズを外すとき、つまり図３の（Ｂ）から図３の（Ａ）の状態になるとき、レンズマウントの爪部２０１ａはカメラマウント１１０の爪部１１５ａに対向した位置から保護部２１２ａに対向する位置へと移動する。このとき、保護部２１２ａの先端を曲げているため、保護部２１２ａの先端のエッジが爪部２０１ａと衝突して削れることを防止している。
【実施例２】
【００２３】
以下、図６を参照して、本発明の第２の実施例による、撮像装置について説明する。
【００２４】
図６は実施例１の図４に相当するＣ−Ｃ断面図である。
【００２５】
第２の実施例では、第１の実施例に設けられていた保護部２１２の代わりに付勢部２２１（請求項４の付勢部）が設けられている。付勢部２２１は座標軸の−Ｚ軸方向に付勢するバネ性を有しており、レンズ装着時にレンズマウント２００の爪部２０１がカメラマウントの爪部１１５に対向する直前に対向する位置に配置されている。付勢部２２１は実施例１と略同位相で付勢部２２１ａ、付勢部２２１ｂ、付勢部２２１ｃがある。図６に示すように、レンズ装着時、レンズマウント２００の爪部２０１は付勢部２２１ａにより−Ｚ方向に付勢されるため、爪部１１５ａに衝突することを防ぐことができる。
【００２６】
以上、本発明の好ましい実施形態について説明したが、本発明はこれらの実施形態に限定されず、その要旨の範囲内で種々の変形及び変更が可能である。
【００２７】
以上のような構成によれば、レンズ装着時の削れを抑制しつつ軽量化することが可能となる。
【符号の説明】
【００２８】
１００  撮像装置、２００  レンズマウント、
２０１  レンズマウント２００の爪部、１１０  カメラマウント、
１１５  カメラマウント１０５のバヨネット爪部、
２１０  マウントバネ、２１２  保護部、２２１  付勢部
【図１】
2020173375.tif 000003
【図２】
2020173375.tif 000004
【図３】
2020173375.tif 000005
【図４】
2020173375.tif 000006
【図５】
2020173375.tif 000007
【図６】
2020173375.tif 000008